(57)【要約】 【課題】橋梁上の堆雪の排雪に当たり、ランニングコストが不要であり、橋梁自体の構造を複雑化することもなく、橋梁上で融雪する代わりに排雪することによって融解水が床版内部に浸透して凍結するといった問題を解消することのできる橋梁を提供すること。【解決手段】少なくとも床版１からなる橋梁１０であって、橋梁１０の一部には弾性体４（バネ、積層ゴムなど）を介して開口床版３が接続されており、橋梁１０の振動（床版１の振動Ｚ１、主桁２の振動Ｚ２）が弾性体４に伝播された際に、弾性体４と開口床版３からなるユニット７が共振し、開口床版３上の堆雪を開口３２を介して下方へ排雪するようになっている。【選択図】図３
2013040495.tif 000002
【特許請求の範囲】
【請求項１】
少なくとも床版からなる橋梁であって、
前記橋梁の一部には弾性体を介して開口床版が接続されており、
橋梁の振動が弾性体に伝播された際に、弾性体と開口床版からなるユニットが共振し、開口床版上の堆雪を開口を介して下方へ排雪するようになっている橋梁。
【請求項２】
前記弾性体が床版と開口床版を接続しており、橋梁の有する複数の固有周期の中で主として床版に起因する固有周期によって前記ユニットが共振するようになっている請求項１に記載の橋梁。
【請求項３】
前記床版は橋梁の長手方向に延設する支持体で支持されており、前記弾性体が支持体と開口床版を接続しており、橋梁の有する複数の固有周期の中で主として支持体に起因する固有周期によって前記ユニットが共振するようになっている請求項１に記載の橋梁。
【請求項４】
前記床版は橋梁の長手方向に延設する支持体で支持されており、
前記弾性体は、床版と開口床版を接続する第１の弾性体と支持体と開口床版を接続する第２の弾性体からなり、
第１の弾性体を介して、橋梁の有する複数の固有周期の中で主として床版に起因する固有周期によって前記ユニットが共振するようになっており、
第２の弾性体を介して、橋梁の有する複数の固有周期の中で主として支持体に起因する固有周期によって前記ユニットが共振するようになっている請求項１に記載の橋梁。
【請求項５】
前記支持体が、主桁、鋼材を組み付けてなるトラス架構、鋼材を組み付けてなる箱桁、支柱と斜材からなる斜張構造体、ワイヤからなる吊り構造体のうちのいずれか一種である請求項３または４に記載の橋梁。
【請求項６】
前記弾性体が、バネ、積層ゴムのいずれかからなる請求項１〜５のいずれかに記載の橋梁。
【請求項７】
前記床版も排雪に供される開口を備えている請求項１〜６のいずれかに記載の橋梁。
【請求項８】
前記橋梁は、道路橋、鉄道橋、水路橋、歩道橋のいずれかからなる請求項１〜７のいずれかに記載の橋梁。
【発明の詳細な説明】
【技術分野】
【０００１】
本発明は、少なくとも床版からなる橋梁に係り、橋梁の振動を利用して堆雪を効果的に排雪することのできる橋梁に関するものである。
【背景技術】
【０００２】
積雪寒冷地の道路橋梁を構成するコンクリート床版は、路面に堆雪してその融解水が床版内部に浸透し、さらに凍結することによってコンクリートが砂利化する等の劣化が問題となっており、この種の劣化は凍結防止剤の影響によってより一層進むことになる。
【０００３】
凍結防止剤などを使用することに代わって、道路のアスファルト舗装の内部に遠赤電熱シートを介層し、表層アスファルトに遠赤外線素子を配合し、遠赤外線を道路に提供して道路の凍結防止を図りながら融雪を可能とした道路に関する発明が特許文献１に開示されている。また、特許文献２には、相互に逆方向に温水が流れるように構成された一対の放熱管が舗装体の内部に埋設され、この構成によって舗装体全体の均一な放熱を可能とし、この均一な放熱によって舗装体表面の融雪をおこなう消雪施設に関する発明が開示されている。
【０００４】
これらの従来技術は、凍結防止剤を利用するものでないものの、道路構造を複雑なものとし、さらには融雪に際して遠赤外線照射や温水循環などのランニングコストが必然的に生じるものであるなどの課題を有している。
【０００５】
さらに、そもそもこれらの従来技術は道路表面で融雪するものであることから、上記する課題、すなわち、路面の堆雪の融解水が床版内部に浸透し、さらに凍結することによってコンクリートが砂利化する等の劣化の問題を何等解消するものではない。
【０００６】
ところで、道路や線路上の堆雪は、通常は除雪車等によって道路側方の路肩や線路側方に押し寄せられ、道路や路線の交通利用の確保が図られている。
また、道路や線路は、その全延長の間に谷超え区間や他の道路や線路と立体交差する区間などを有し、これらの区間においては道路橋や鉄道橋といった橋梁が適用されている。
そして、道路橋や鉄道橋はその上を車両や電車が通過する際に個々の橋梁に固有の固有周期で振動することはよく知られるところである。
【０００７】
本発明者等は、このような橋梁の振動に着目し、橋梁上の堆雪の排雪にこの振動を有効利用できる技術の発案に至っている。
【先行技術文献】
【特許文献】
【０００８】
【特許文献１】特開２００１−８１７１０号公報
【特許文献２】特開平６−１９３００８号公報
【発明の概要】
【発明が解決しようとする課題】
【０００９】
本発明は上記する問題に鑑みてなされたものであり、橋梁上の堆雪の排雪に当たり、ランニングコストが不要であり、橋梁自体の構造を複雑化することもなく、橋梁上で融雪する代わりに排雪することによって融解水が床版内部に浸透して凍結し、床版を劣化させるといった問題を解消することのできる橋梁を提供することを目的としている。
【課題を解決するための手段】
【００１０】
前記目的を達成すべく、本発明による橋梁は、少なくとも床版からなる橋梁であって、前記橋梁の一部には弾性体を介して開口床版が接続されており、橋梁の振動が弾性体に伝播された際に、弾性体と開口床版からなるユニットが共振し、開口床版上の堆雪を開口を介して下方へ排雪するようになっているものである。
【００１１】
本発明の橋梁は、床版と、オープングレーチング等の開口床版を弾性体を介して接続した構成としておき、車両や電車、さらには人などが橋梁を通過する際に生じる振動を有効利用して、この振動によって弾性体と開口床版からなるユニットを共振させ、開口床版上の堆雪を開口を介して下方へ排雪するようにしたものである。
【００１２】
ここで、本明細書における「共振」とは、橋梁もしくは橋梁を構成する構成要素（床版や主桁など）の振動が伝播されて、弾性体と開口床版からなるユニットが橋梁やその構成要素の振動よりも大きな振幅で揺れることを意味している。
【００１３】
橋梁の構造は多様に存在し、延長が短く、作用荷重も通行人等のみの歩道橋（人道橋）の場合には、コンクリート製等の床版がその両端で支持された極めてシンプルな構造となり得るし、車両や鉄道などの走行荷重を支持する道路橋、鉄道橋などの場合は、箱桁橋やトラス橋、アーチ橋、斜張橋、吊り橋、ラーメン橋などの構造形式のものが適用できる。
【００１４】
このように、本発明の橋梁は、道路橋、鉄道橋、水路橋、歩道橋のいずれであってもよく、その構造形式も特に限定されるものではないが、少なくとも床版を備えたものであり、かつ、橋梁の一部に弾性体を介して開口床版が接続された構成を有していればよい。
【００１５】
開口床版は床版の側方端部、すなわち路肩に設けられており、たとえば除雪車等で床版上の堆雪が開口床版へ押出されてその上に堆雪する。
【００１６】
開口床版とともにユニットを構成する弾性体は特に限定されるものではないが、たとえば、バネや積層ゴムなどを挙げることができる。
【００１７】
開口床版と弾性体からなるユニットの固有周期と、橋梁の有する固有周期が同一となる、もしくは近似するように弾性体の弾性係数（バネの場合はバネ定数）を調整しておくことにより、橋梁の振動が弾性体に伝播された際に弾性体および開口床版からなるユニットを共振させることができ、橋梁の主構造である床版に比して格段に軽量な開口床版が橋梁の振幅に比して大きな振幅で振動することにより、その上の堆雪を開口床版の開口を介して下方へ効果的に排雪することができる。
【００１８】
この排雪作用により、橋梁上の堆雪が融雪して床版内部に浸透し、これが凍結して橋梁構成部材が劣化するといった問題は解消される。さらに、この排雪は橋梁を車両等が通過する際に生じる橋梁自体の振動を利用するものであることから、排雪に際して電力や動力などのランニングスコストは一切不要である。
【００１９】
橋梁がその主たる構造として床版のみを有する場合は、この床版と開口床版が弾性体を介して接続される。
【００２０】
ここで、橋梁はその構造形式に応じて、橋梁全体として複数の固有周期を有している。たとえば、床版のみからなる場合は、床版の固有周期（１次モード、二次モードと複数の固有周期が存在し得る）が橋梁全体の固有周期となるし、床版が何らかの支持体で支持される構成の場合は、橋梁は主として床版に起因する固有周期と主として支持体に起因する固有周期といった具合に複数の固有周期を有することになる。さらに、この支持体が複数の構成部材からなる場合は、各構成部材に起因する固有周期が存在し得ることから、橋梁はその構造が複雑になればなるほど、より多くの固有周期を有することになる。
【００２１】
そこで、たとえば床版のみを主たる構造とする橋梁の設計に際しては、まず、建設される橋梁の地域ごとに雪の密度や積雪量、除雪車によって押し寄せられて開口床版上で積み上げられた際の高さの設計値などに応じて、堆雪の重量をユニットの重量に加味した総重量をユニットの固有周期算定の際に考慮する必要がある。そして、床版の固有周期を算定し、床版の固有周期に同一もしくは近似した固有周期を有するユニットとなるように弾性体の仕様や材質、弾性係数などを決定する。
【００２２】
ここで、橋梁の固有周期の算定方法は特に限定されるものでないが、たとえば、橋梁を構成する床版に外部から衝撃を付与してその際の床版の衝撃振動時刻歴波形を収録し、これをスペクトル解析を経て固有周期を求める方法や、一次の固有周期を与える次式、すなわち、
2013040495.tif 000003
Ｔ：固有周期、ｍ：床版荷重、ｋ：床版の弾性係数
で簡易的に算定する方法などを挙げることができる。
【００２３】
開口床版と弾性体からなるユニットの固有周期は、開口床版と弾性体それぞれの重量や弾性係数の比率に応じてそれぞれの値を重み付けした上でユニット全体の固有周期を設定することのほかに、ユニットの弾性係数は床版と直接接続される弾性体の弾性係数で代表させるなどの方法で設定してもよい。
【００２４】
また、床版が橋梁の長手方向に延設する支持体で支持される形態において、弾性体が支持体と開口床版を接続している構造の場合には、橋梁の有する複数の固有周期の中で主として支持体に起因する固有周期によってユニットが共振するように弾性体の弾性係数等を調整しておくのがよい。なお、弾性体の弾性係数の調整においては、弾性体の仕様や材質、剛性を調整することによってその弾性係数の調整が図られるものである。
【００２５】
さらに、床版が橋梁の長手方向に延設する支持体で支持される形態において、弾性体が床版と開口床版を接続する第１の弾性体と支持体と開口床版を接続する第２の弾性体からなる場合には、第１の弾性体を介して、橋梁の有する複数の固有周期の中で主として床版に起因する固有周期によってユニットが共振するように第１の弾性体の弾性係数等を調整しておき、第２の弾性体を介して、橋梁の有する複数の固有周期の中で主として支持体に起因する固有周期によってユニットが共振するように第２の弾性体の弾性係数等を調整しておくのがよい。
【００２６】
ここで、支持体の形態としては、Ｈ型鋼やＩ型鋼、Ｃ型鋼などからなる主桁や、鋼材を組み付けてなるトラス架構、鋼材を組み付けてなる箱桁、支柱と斜材からなる斜張構造体、ワイヤからなる吊り構造体などを挙げることができる。
【００２７】
たとえば、Ｈ型鋼の主桁からなる支持体で床版が支持されている形式の橋梁において、第１の弾性体を介して開口床版と床版を接続し、別途の第２の弾性体を介してＨ型鋼のウェブと開口床版を接続する構成とすることにより、床版の固有周期と主桁の特にウェブの固有周期のいずれかによって開口床版を共振させることが可能となる。また、床版や主桁全体の振動は主として縦振動であることから、床版や主桁のフランジに弾性体を接続した際には、これらの縦振動を開口床版に伝播させることができる。一方、主桁のウェブの振動は主として横振動（面外振動）であることから、主桁のウェブに弾性体を接続した際にはこの横振動がたとえば縦振動に変換された後の振動を開口床版に伝播させることができる。この「縦振動に変換」とは、一般に主構造である床版等に比してユニットは格段に軽量であることから、仮に主構造の一部が横方向に振動している場合でも、主構造の縦振動は横振動に比して振幅が大きく、主構造全体の振動に占める縦振動の影響が大きなことから、横振動がユニットに伝播される際にこれが縦振動に変換され易いという理由に依拠するものである。なお、開口床版は、弾性体によって縦振動する形態であっても、横振動する形態であっても、双方が組み合わされた態様で振動する形態であってもよく、橋梁が建設される地域の雪質や重量、さらには開口床版を構成する開口の大きさや形状などに応じて、効果的に排雪できる振動態様が選定されるのがよい。
【００２８】
また、開口床版のみならず、床版にも排雪に供される開口を設けた構成としておいてもよく、この形態では、除雪されずに床版上に残った堆雪を床版の振動によってその開口から下方へ排雪することが可能となる。
【発明の効果】
【００２９】
以上の説明から理解できるように、本発明の橋梁によれば、橋梁の一部に弾性体を介して開口床版を接続させ、橋梁の振動が弾性体に伝播された際に弾性体および開口床版からなるユニットが共振し、開口床版上の堆雪を開口を介して下方へ排雪させるようにしたことによって、排雪に当たって電力や動力等のランニングコストは一切不要となり、橋梁上で融雪する代わりに橋梁の振動に共振する開口床版の振動によって排雪することで融解水が床版内部に浸透して凍結し、床版が劣化するといった問題を効果的に解消することができる。
【図面の簡単な説明】
【００３０】
【図１】本発明の橋梁の一実施の形態を橋軸直角方向で切断した縦断面図である。
【図２】図１で示す橋梁を構成する床版の堆雪が床版側方の開口床版上へ押し寄せられて堆雪している状態を説明した図である。
【図３】床版上を車両が走行した際の床版、主桁の振動と、主桁の振動が弾性体および開口床版からなるユニットに伝播されてユニットが共振している状態を模擬した図である。
【図４】ユニットを拡大した図であって、ユニットの共振によって堆雪が開口床版の開口から下方へ排雪されている状態を模擬した図である。
【図５】床版と主桁からなる橋梁モデルにおいて、構成部材の振動を説明した図である。
【図６】（ａ）、（ｂ）、（ｃ）はいずれも、橋梁を構成する構成部材とユニットを接続する実施の形態を模擬した図である。
【発明を実施するための形態】
【００３１】
以下、図面を参照して本発明の橋梁の実施の形態を説明する。なお、図示例は、車両が走行する道路橋を説明したものであるが、本発明の橋梁の用途は道路橋に限らず、鉄道橋や歩道橋など、橋梁の全用途を対象としたものである。また、図示例は、床版を支持体の一種である主桁が支持する構造の橋梁であるが、これ以外の構造形式である、トラス橋やアーチ橋、斜張橋、吊り橋、ラーメン橋などであってもよいことは勿論のことである。
【００３２】
（橋梁の一実施の形態）
図１は本発明の橋梁の一実施の形態を橋軸直角方向で切断した縦断面図であり、図２は図１で示す橋梁を構成する床版の堆雪が床版側方の開口床版上へ押し寄せられて堆雪している状態を説明した図であり、図３は床版上を車両が走行した際の床版、主桁の振動と、主桁の振動が弾性体および開口床版からなるユニットに伝播されてユニットが共振している状態を模擬した図である。
【００３３】
図１で示すように、本発明の橋梁１０は、コンクリート製の床版本体１２の表面に舗装１１が被覆されてなる床版１を、複数の主桁２が支持した主構造を有するものであり、主桁２から側方に張り出した連絡部材８３の上に載置される、弾性体である複数のバネ４とこのバネ４で支持された開口床版３からなるユニット７と、開口床版３の側方位置で該開口床版３とは縁切りされた態様で連絡部材８３の上に載置される地覆５とここから立設する高欄６と、からその全体が大略構成されている。
【００３４】
図１で示す断面形状が長手方向（橋軸方向）に連続して所定延長の橋梁１０が構成され、橋梁１０の両端部が不図示の橋台で支承されるものである。そして、図示例では、開口床版３は一箇所当たり３基のバネ４で支持されるものであるが、これが橋軸方向に間隔を置いて、複数箇所で同様の態様で開口床版３を支持するようになっている。
【００３５】
なお、図示する橋梁１０では、主桁２を補強する縦材８２、主桁２，２間を繋ぐ水平材８１や必要に応じて不図示の斜材などから対傾構が形成されており、さらに、橋梁１０を上方や下方から見た際に確認できる、主桁２，２間を繋ぐ不図示の横構などによって橋梁１０の立体的な剛性が確保されている。
【００３６】
なお、図示例とは別途の構造形式である、トラス橋やアーチ橋、斜張橋、吊り橋、ラーメン橋などの場合には、それらの構造形式に則した支持体が適用される。
【００３７】
道路橋１０を構成する床版１は、中央の分離帯側から側方のユニット７に向かって所定の横断勾配を有しており、雨水や融雪水は床版１の側方に流れて排水されるようになっている。
【００３８】
図１で示す橋梁１０では、ユニット７が主桁２を構成するウェブ２１とフランジ２２の双方から側方に張り出す連絡部材８３の上に支持された構成となっている。
【００３９】
弾性体であるバネ４は、所望にその剛性やバネ定数を調整できるものであるが、このように弾性係数を調整できるとともに振動を伝播させて開口床版３を大きく振動自在な部材としては、積層ゴム、剛性が比較的小さくて可撓性に富む鋼材（平鋼、Ｃ型鋼、Ｌ型鋼、鋼棒など）などを適用することができる。
【００４０】
図２で示すように、この橋梁１０に雪が積もって２点鎖線で示すように堆雪Ｓした際には、たとえば除雪車によって堆雪Ｓが床版１の側方に押し出され、床版１の側方に位置する開口床版３の上に堆雪する。
【００４１】
そして、橋梁１０の床版１上を図３で示すように車両Ｃが走行した際には、橋梁１０はその固有周期で振動することになり、より具体的には、床版１は振動Ｚ１で振動し、主桁２は振動Ｚ２で振動する。
【００４２】
そして、橋梁１０においては、構成要素であるユニット７の固有周期と、ユニット７が連絡部材８３を介して直接繋がれた主桁２に主として起因する固有周期（振動Ｚ２の固有周期）が同一となる、もしくは近似するように、弾性体であるバネ４のバネ定数が調整されている。
【００４３】
したがって、橋梁１０の特に主桁２の振動Ｚ２がバネ４に伝播された際にユニット７は共振し、橋梁１０の主構造である床版１や主桁２に比して格段に軽量な開口床版３が橋梁１０の振幅に比して大きな振幅で振動することになる（振動Ｚ３）。これは、有効質量比に応じて振幅が増幅されることによるものである。
【００４４】
図４は、理解を容易とするために高欄や地覆等を廃した構造のユニットを拡大した図である。橋梁１０の特に主桁２の振動がユニットに伝播され、ユニットが伝播された振動に共振して大きな振幅で振動Ｚ３することにより、格子体３１と格子間に画成された多数の開口３２の上方の堆雪Ｓが開口３２を介して下方へ効果的に排雪されることになる。
【００４５】
ここで、橋梁１０の固有周期とは、床版１と支持体である主桁２から構成される構造体としての橋梁１０が有する固有周期であり、主として床版１が起因する固有周期や主として主桁２が起因する固有周期など、橋梁１０は複数の固有周期を有している。
【００４６】
一方、橋梁１０の上に積もる雪は、橋梁１０が建設される地域ごとに雪の密度や積雪量、さらには除雪車等によって開口床版上に堆雪する高さが異なっている。したがって、堆雪の重量をユニットの重量に加味した総重量をユニットの固有周期の算定の際に考慮し、主桁２の固有周期を算定し、主桁２の固有周期に同一もしくは近似した固有周期を有するユニットとなるようにバネ４の仕様や材質、バネ係数などを決定する。
【００４７】
（橋梁の他の実施の形態）
以下、図５，６を参照して、橋梁の他の実施の形態に関するモデル図とその構成要素の振動態様を説明する。図５は、床版と主桁からなる橋梁モデルにおいて、構成部材の振動を説明した図であり、図６ａ、ｂ、ｃはいずれも、橋梁を構成する構成部材とユニットを接続する実施の形態を模擬した図である。なお、図５，６で示す橋梁モデルは、図１で示す橋梁１０のようにその他の構成要素の記載を省略して橋梁の主構造のみを示している点において橋梁モデルと称している。
【００４８】
図５で示す橋梁モデルＭは、床版モデルＭＳをウェブＷとフランジＦを有するＩ型鋼からなる２つの主桁モデルＭＢで支持した主構造を有するものであり、床版モデルＭＳは振動Ｚ１で縦振動し、主桁モデルＭＢは振動Ｚ２で縦振動し、さらに主桁モデルＭＢの構成要素であるウェブＷは振動Ｚ４で横振動するものである。
【００４９】
このように、橋梁モデルＭはその全体構成において複数の固有周期を有し得るが、各固有周期はその主たる要因となる橋梁モデル構成要素を有している。そこで、各構成要素に起因する固有周期を利用してユニットの固有周期と略一致させてユニットを共振させるべく、たとえば、図６ａ，ｂ，ｃで示す橋梁モデルの実施の形態を挙げることができる。なお、図示する橋梁モデルＭ１、Ｍ２、Ｍ３はいずれも、図５で示す主構造を共通に有するものである。
【００５０】
図６ａで示す橋梁モデルＭ１は、床版モデルＭＳの振動Ｚ１と開口床版モデルＭＡおよびバネモデルＭＥからなるユニットモデルが共振して振動Ｚ３’するべく、床版モデルＭＳにＬ型の連絡部材モデルＭＴを繋ぎ、これにバネモデルＭＥを載置固定したものである。
【００５１】
一方、図６ｂで示す橋梁モデルＭ２は、主桁モデルＭＢの振動Ｚ２と開口床版モデルＭＡおよびバネモデルＭＥからなるユニットモデルが共振して振動Ｚ３”するべく、主桁モデルＭＢのフランジＦに平板の連絡部材モデルＭＴを繋ぎ、これにバネモデルＭＥを載置固定したものである。
【００５２】
一方、図６ｃで示す橋梁モデルＭ３は、主桁モデルＭＢの縦振動Ｚ２とウェブＷの横振動Ｚ４（が縦振動に変換された振動）をユニットモデルにそれぞれ伝播させるべく、それぞれが別途の連絡部材モデルＭＴ、ＭＴで繋がれたものであり、これら２つの振動のいずれか、もしくは双方がユニットモデルに伝播されてユニットモデルが共振し、たとえば双方の振動の合成振動に共振して縦方向に振動Ｚ３'''するものである。また、同図においては、ウェブＷの横振動Ｚ４がユニットモデルに伝播されてユニットモデルが横方向に共振して振動Ｚ３''''する態様をともに示している。このように、ウェブＷ等の横方向の振動は、ユニットモデルの縦方向の共振振動として、もしくはユニットモデルの横方向の共振振動として、あるいは双方が混在するユニットモデルの共振振動として作用し得るものである。
【００５３】
このように、本発明の橋梁は、多様な構造形式の橋梁をその対象とするものであり、橋梁の有する固有周期（各固有周期は橋梁を構成する各構成要素が主として起因している）と同一、もしくは略同一となる固有周期を有する開口床版と弾性体からなるユニットを床版の側方に有するものであり、橋梁の適宜の箇所とユニットが接続されることによって、車両や電車、歩行者等が通過した際の橋梁の振動がユニットに伝播され、橋梁の主構造に比して質量が格段に軽量なユニットがこの振動に共振してより一層大きな振幅で振動することにより、開口床版上の堆雪を開口を介して下方へ効果的に排雪することができる。
【００５４】
そして、この排雪作用によって、橋梁上の堆雪が融雪して床版内部に浸透し、これが凍結して橋梁構成部材が劣化するといった問題は解消でき、さらに、この排雪は橋梁を車両等が通過する際に生じる橋梁自体の振動を利用するものであることから、排雪に際して電力や動力などのランニングコストは一切不要である。
【００５５】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００５６】
１…床版、１１…舗装、１２…床版本体、２…主桁、２１…ウェブ、２２…フランジ、３…開口床版、３１…格子体、３２…開口、４…弾性体（バネ）、５…地覆、６…高欄、７…ユニット、１０…橋梁（道路橋）、Ｓ…堆雪、Ｍ，Ｍ１，Ｍ２，Ｍ３…橋梁モデル
【図１】
2013040495.tif 000004
【図２】
2013040495.tif 000005
【図３】
2013040495.tif 000006
【図４】
2013040495.tif 000007
【図５】
2013040495.tif 000008
【図６】
2013040495.tif 000009